(57)【要約】【課題】  カバーが容易に開閉でき，傾斜面上に置かれた場合に内部に貯蔵された釣り餌がこぼれ出ることを防止し，強度に優れた釣り餌容器を提供する。【解決手段】  上面が開放された六面体形状で，その相隣接する側面の接合部に形成される４つのラック受け筒２０と，対面する一対の側面に形成される挿入孔８とを備え，ＰＶＣで構成された胴体４と，上面に一組以上のレバー支持片１２が形成されたカバー１０と，開閉可能な鋏状の操作部と，操作部の両端から延設されて上記一組のレバー支持片により支持される一組の結合棒とを備え，カバーの胴体への装着および取り外しの際に使用されるワンタッチレバー１８と，各ラック受け筒に挿抜自在に設けられる所定長のラック２２と，ラックをラック受け筒から任意に引き出した状態で固定するラック固定部材２４とを設けた。【選択図】    図１
0003108196.tif 000002
【実用新案登録請求の範囲】
【請求項１】
上面が開放された六面体形状を有し，前記六面体の相隣接する側面の接合部に高さ方向に形成される４つのラック受け筒と，前記六面体の対面する一対の側面に各々１つ以上形成される挿入孔と，撒き餌杓を収納する撒き餌杓受けと，釣り用品を収納する収納体と，一組の取っ手と，肩ひもと，を備え，ポリ塩化ビニールで構成された胴体と；
前記胴体の上部に着脱可能に配設され，上面に少なくとも一組のレバー支持片が形成されたカバーと；
前記胴体と前記カバーとをヒンジ結合するヒンジ結合部と；
開閉可能な鋏状の操作部と，前記操作部の両端から延設され，前記カバーに形成された前記一組のレバー支持片により支持される一組の結合棒と，を備え，前記鋏状の操作部が開いた状態の場合に，前記各々の結合棒の前記操作部に連結されていない端部が前記胴体に形成された前記挿入孔に挿入されることによって前記カバーを前記胴体に装着させ，かつ，前記鋏状の操作部の閉鎖動作に応じて前記端部が前記挿入孔から抜き出されて前記カバーが前記胴体から外れることを可能にするワンタッチレバーと；
前記各ラック受け筒に挿抜自在に設けられる所定長のラックと；
前記ラックを前記ラック受け筒から任意に引き出した状態で固定するラック固定部材と；
を備えることを特徴とする釣り餌容器。
【請求項２】
前記ヒンジ結合部は，
前記カバーの外縁に形成されるカバー側嵌入孔と；
前記胴体の上縁に形成される胴体側嵌入孔と；
前記カバー側嵌入孔および前記胴体側嵌入孔に各々嵌入される嵌合球体と，軟質の合成樹脂材からなり，前記２つの嵌合球体を連結するロープ状の中間連結部と，前記嵌合球体より大きい直径を有し，前記中間連結部と前記嵌合球体との間に形成される大径突部と，を備えるヒンジ輪と；
を備えることを特徴とする，請求項１に記載の釣り餌容器。
【請求項３】
前記ワンタッチレバーは，前記鋏状の操作部の中心部分に支持力を強くするための円状の中心支持部を備えることを特徴とする，請求項１または２に記載の釣り餌容器。
【請求項４】
前記各結合棒の前記操作部に連結されていない端部には，前記胴体の開放縁に対して前記ワンタッチレバーが付勢された場合に，前記鋏状の操作部を閉じる方向に動かせて前記挿入孔に前記端部が挿入されるように案内する傾斜部が形成されることを特徴とする，請求項１から３のいずれかに記載の釣り餌容器。
【請求項５】
前記ラック固定部材は，前記ラックが内部に挿通される所定長の円筒状の内挿パイプと，前記内挿パイプおよび前記ラックが内部に挿通されるパイプ状の固定ギャップと，を備え，
前記内挿パイプの外周の所定部分には雄ねじが形成され，かつ，前記内挿パイプの一端部には長手方向に複数のスリットが形成されており；
前記固定ギャップの内周の所定部分には前記雄ねじに対応する雌ねじが形成され，かつ，前記固定ギャップの一端部の内周には，該一端部の先端に向かって前記内周の直径が減少するように内傾斜部が形成されており；
前記雄ねじと前記雌ねじが螺合された場合に，前記内傾斜部の傾斜によって前記スリットが形成された前記内挿パイプの一端部が圧迫されることを特徴とする，請求項１から４のいずれかに記載の釣り餌容器。
【請求項６】
前記ラックの下端には，前記固定ギャップの前記一端部の先端により係止される係止片が設けられ，前記ラックの底面にはすべり防止用位置固定ピンが設けられることを特徴とする，請求項１から５のいずれかに記載の釣り餌容器。
【考案の詳細な説明】
【技術分野】
【０００１】
本考案は釣り餌容器に関する。
【背景技術】
【０００２】
周知のように，レジャースポーツとして盛んになっている釣りは，その由来が非常に古いもので，最初の釣り行為は人間の食生活手段の一つである狩猟行為に起因した。しかし，最近では単なる食生活手段としての釣りでなく，レジャースポーツとしての釣り行為に発展して，多くの人々が釣りを通じて親睦を図り，釣り技術が活発に普及している実情である。
【０００３】
最近では釣り装備は高級化し，各種釣り用品の開発も活発に行われている。代表的な釣り装備としては，釣竿（リール竿を含む），釣り糸，釣り針，浮き，タモ網，タモ棒，魚収容網，クーラーボックスなどがあり，人々は釣り針に釣り餌を通して釣りを楽しむことができる。最近では魚を誘い出すために，釣り餌を投げる前に，川や海などの釣りを行う予定の場所に練り餌を投与することが行われている。
【０００４】
この時，釣り餌や練り餌を使用するためにはその釣り餌，練り餌等を貯蔵するための釣り餌容器が必要となるが，釣り装備に釣り餌容器を追加すると，釣り装備全体の体積が大きくなり，また重量も重くなるという短所がある。
【０００５】
従来の釣り餌容器として，上部にジッパー式カバーが付着した六面体のビニールから製造され，そのビニール内部にはそのビニール体を支持するための支持フレームが内蔵されて構成される釣り餌容器がある。
【考案の開示】
【考案が解決しようとする課題】
【０００６】
しかし，従来の釣り餌容器はワイヤでできた支持フレームで外部ビニール体を支持するので，その支持フレームの支持力が弱く，釣り餌容器の全体的な強度が低下するという問題点がある。また，外部ビニール体はその厚さが薄いので容易に損傷し，角部の縫線により適切に防水できないという問題点がある。
【０００７】
また，従来の釣り餌容器の大部分が上記のようにジッパー式のカバーを備えているため，使用者が両手を使用しなければカバーを開放できないという問題点がある。また，岩場などのように水に隣接した所では地面が平坦ではなく傾斜しているため，釣り餌容器を水平状態に維持することができず，釣り餌，練り餌がこぼれ出る恐れがある。
【０００８】
そこで，本発明は，このような問題に鑑みてなされたもので，その目的とするところは，容易に開閉可能なカバーを備えており，傾斜面上に置かれた場合に内部に貯蔵された釣り餌がこぼれ出ることを防止し，強度に優れた、使用者に便利な釣り餌容器を提供することである。
【課題を解決するための手段】
【０００９】
上記課題を解決するために，本考案のある観点によれば，上面が開放された六面体形状を有し，六面体の相隣接する側面の接合部に高さ方向に形成される４つのラック受け筒と，六面体の対面する一対の側面に各々１つ以上形成される挿入孔と，撒き餌杓を収納する撒き餌杓受けと，釣り用品を収納する収納体と，一組の取っ手と，肩ひもと，を備え，ポリ塩化ビニールで構成された胴体と；胴体の上部に着脱可能に配設され，上面に少なくとも一組のレバー支持片が形成されたカバーと；胴体とカバーとをヒンジ結合するヒンジ結合部と；開閉可能な鋏状の操作部と，操作部の両端から延設され，カバーに形成された一組のレバー支持片により支持される一組の結合棒と，を備え，鋏状の操作部が開いた状態の場合に，各々の結合棒の操作部に連結されていない端部が胴体に形成された挿入孔に挿入されることによってカバーを胴体に装着させ，かつ，鋏状の操作部の閉鎖動作に応じて端部が挿入孔から抜き出されてカバーが胴体から外れることを可能にするワンタッチレバーと；各ラック受け筒に挿抜自在に設けられる所定長のラックと；ラックをラック受け筒から任意に引き出した状態で固定するラック固定部材と；を備えることを特徴とする釣り餌容器が提供される。
【００１０】
上記ヒンジ結合部は，カバーの外縁に形成されるカバー側嵌入孔と；胴体の上縁に形成される胴体側嵌入孔と；カバー側嵌入孔および胴体側嵌入孔に各々嵌入される嵌合球体と，軟質の合成樹脂材からなり，２つの嵌合球体を連結するロープ状の中間連結部と，嵌合球体より大きい直径を有し，中間連結部と嵌合球体との間に形成される大径突部と，を備えるヒンジ輪と；を備えていてもよい。
【００１１】
上記ワンタッチレバーは，鋏状の操作部の中心部分に支持力を強くするための円状の中心支持部を備えていてもよい。
【００１２】
上記各結合棒の操作部に連結されていない端部には，胴体の開放縁に対してワンタッチレバーが付勢された場合に，鋏状の操作部を閉じる方向に動かせて挿入孔に端部が挿入されるように案内する傾斜部が形成されていてもよい。
【００１３】
上記ラック固定部材は，ラックが内部に挿通される所定長の円筒状の内挿パイプと，内挿パイプおよびラックが内部に挿通されるパイプ状の固定ギャップと，を備え，内挿パイプの外周の所定部分には雄ねじが形成され，かつ，内挿パイプの一端部には長手方向に複数のスリットが形成されており；固定ギャップの内周の所定部分には雄ねじに対応する雌ねじが形成され，かつ，固定ギャップの一端部の内周には，該一端部の先端に向かって内周の直径が減少するように内傾斜部が形成されており；雄ねじと雌ねじが螺合された場合に，内傾斜部の傾斜によってスリットが形成された内挿パイプの一端部が圧迫されるようにしてもよい。
【００１４】
上記ラックの下端には，固定ギャップの一端部の先端により係止される係止片が設けられ，ラックの底面にはすべり防止用位置固定ピンが設けられてもよい。
【００１５】
以上のように，本考案によれば，胴体が固いＰＶＣ材質で構成されることにより強度に優れるとともに防水機能を提供できるため，釣りが終わった後に魚収容網にある魚を水と共に内部に保管しておくことが可能な多機能の釣り餌容器を提供できる。また，本考案によれば，ワンタッチレバーによりカバーを片手でも容易に開閉できるので，使用者は釣竿を片手で把持した状態でも容易にカバーを開放できる。また，本考案によれば，ラックの高さを自由に調節できるため，傾斜した海岸でも釣り餌が貯蔵される胴体部分の水平状態を維持でき，釣り餌がこぼれ出ることを防止できる。
【考案の効果】
【００１６】
以上説明したように本考案によれば，容易に開閉可能なカバーを備えており，傾斜面上に置かれた場合に内部に貯蔵された釣り餌がこぼれ出ることを防止し，強度に優れた、使用者に便利な釣り餌容器を提供できるものである。
【考案を実施するための最良の形態】
【００１７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１８】
本考案にかかる釣り餌容器には，生き餌，疑似餌，撒き餌，練り餌などの様々な釣り絵を収容することができる。本実施形態では，本考案にかかる釣り餌容器を，特に練り餌を収容するための釣り用練り餌容器２に適用して説明する。
【００１９】
図１は本考案に係る釣り用練り餌容器２の外形を示す斜視図である。図１に示すように，釣り用練り餌容器２は，上部が開放された六面体形状を有する胴体４を備える。この胴体４は軽量のポリ塩化ビニール（ｐｏｌｙｖｉｎｙｌ  ｃｈｌｏｒｉｄｅ，以後，ＰＶＣとも称する。）によって製造される。胴体４の相隣接する側面の接合部には，胴体４の高さ方向にラック２２を挿設するための４つのラック受け筒２０が形成される。また，胴体４の対面する一対の側面の上縁には複数の挿入孔８が形成されている。
【００２０】
また，胴体４はその内縁部に所定長の載置片６が延設されている。この載置片６にはカバー１０が載置される。
【００２１】
また，胴体４の前面及び後面の上端には各々，その下端が胴体４に固着された取っ手１６が設けられており，カバー１０の上面には各々その短手方向に所定の間隔をおいてレバー支持片１２が形成されている。また，カバー１０はその上縁部，すなわち，後述するワンタッチレバー１８が挿設される挿入孔８が形成された近隣の上縁部にはワンタッチレバー１８を内挿するためのレバー結合輪１４が形成される。レバー結合輪１４は，後述するワンタッチレバー１８の結合棒１８２をカバー１０の上面に連結する連結部の一例である。一方，カバー１０と練り餌容器の胴体４の長手方向の上端の一側面には各々，そのカバー１０と胴体４をヒンジ結合するためのヒンジ輪６０が着脱自在に取り付けられている。
【００２２】
より詳細には，ヒンジ輪６０は軟質の合成樹脂材で構成されるロープ状の中間連結部６２を有し，その上端及び下端には各々球状になった嵌合球体６４ａ，６４ｂが中間連結部６２を介して延設されている。中間連結部６２と嵌合球体６４ａ，６４ｂとの間には嵌合球体６４ａ，６４ｂより直径が大きい大径突部６６が各々形成されている。
【００２３】
そして，胴体４の一側面の上部と，カバー１０の上面所定部には各々嵌合球体６４ａ，６４ｂが嵌入する嵌入孔４０２，４０４が形成されている。
【００２４】
カバー１０のレバー支持片１２にはワンタッチレバー１８が挿設され，このレバー１８の両端は各々胴体４の上部に形成された挿入孔８に挿入される。胴体４のラック受け筒２０の内部にはラック２２が挿設されて胴体４の高さを一定に維持する役割をする。
【００２５】
また，ラック２２をラック受け筒２０から任意に引出された状態で固定するのラック固定部材２４が備えられる。ラック２２の下面には岩場などで釣り用練り餌容器２が滑り落ちることを防止するための位置固定ピン２６が突設されている。
【００２６】
一方，本考案の一実施形態に係る釣り用練り餌容器２の胴体４の一側の外面には，上部が開口され内部には水を貯蔵できる撒き餌杓受け４０が設置され，練り餌を撒くための撒き餌杓（図示せず）を収納できる。また，胴体４の他側の外面には各種釣り用品を収容するための収納体７０が設置される。なお，撒き餌杓受け４０および収納体７０は，取り付け，取り外しが可能なように設置されていてもよい。
【００２７】
撒き餌杓受け４０の内部に水を貯蔵した状態で，撒き餌杓を撒き餌杓受け４０に入れると，撒き餌杓の外面についている練り餌が貯蔵された水により容易に落ちるだけでなく，撒き餌杓に少量の水分が残っている状態であるため，練り餌を投げる時，練り餌が撒き餌杓に付着しない。撒き餌杓受け４０は撒き餌杓の形態によって多様に変更できる。
【００２８】
一方，釣り用練り餌容器２の胴体４の短手方向の各上端部には挿入孔３０が形成されており，この挿入孔３０には連結輪３２を介して肩ひも３４が連結されている。したがって使用者は，釣り用練り餌容器２を肩に担ぐ状態で容易に移動できる。
【００２９】
図２は本考案の一実施形態に係る釣り用練り餌容器２のカバーを示す斜視図であり，図３は本考案の一実施形態に係る釣り用練り餌容器２のワンタッチレバーを示す平面図である。
【００３０】
これらの図面に示すように，ワンタッチレバー１８は，支持力の補強のための円状の中心支持部１８８と，この中心支持部１８８の両端から延びる鋏状の操作部１８６と，この操作部１８６の両端から延設される所定長の一対の結合棒１８２とからなる。また，ワンタッチレバー１８の操作部１８６は，力が加えられることによって閉鎖動作を行い，加えられていた力が弱くなり，または無くなると，閉鎖動作を行う前の元の状態に復帰するという弾性を備えている。
【００３１】
したがって，その操作部１８６を使用者が片手で把持した状態で操作部１８６を縮めれば，すなわち操作部１８６の閉鎖動作に従って，ワンタッチレバー１８の両端に形成された結合棒１８２が胴体４の上端に形成された挿入孔８から抜き出され，カバー１０を開放できるようになる。この時，複数のワンタッチレバー１８の中でいずれかのワンタッチレバー１８だけを開放した場合には，残りのワンタッチレバー１８はカバー１０と胴体４に対するヒンジの役割をする場合がある。
【００３２】
図４ａ，４ｂは本考案の一実施形態に係る釣り用練り餌容器２のワンタッチレバーの装着状態を示す側断面図である。
【００３３】
これらの図面に示すように，ワンタッチレバー１８の結合棒１８２の両端は，所定角度の傾斜部１９０で形成される。それにより，図４ａに示すように，胴体４の上端面に傾斜部１９０を密着させた状態で，結合棒１８２を胴体４の開放縁に付勢すると，その力はその傾斜部１９０に沿ってワンタッチレバー１８を中央に押し出す力に変換される。傾斜部１９に案内され，鋏状の操作部１８６が閉鎖動作を行うことによって胴体４の内部に進入したワンタッチレバー１８は，結合棒１８２の端部が挿入孔８に達した時点で，閉じた状態の操作部１８６が弾性により元の状態に戻り，図４ｂに示すように結合棒１８２の両端が挿入孔８に挿入される。なお，その際に操作部１８６は，閉じる前の元の状態に完全に戻ってもよいし，所定量だけ戻っても構わない。
【００３４】
ワンタッチレバー１８を上記構成にすることによって，使用者は，ワンタッチレバー１８の鋏状の操作部１８６を把持して閉じるだけでワンタッチレバー１８と胴体４との結合を解いてカバー１０を開くことができる。また，使用者は，カバー１０が開かれた状態である場合に，ワンタッチレバー１８の操作部１８６を把持して閉じた後にワンタッチレバー１８を胴体４の内部に進入させ，挿入孔８にワンタッチレバー１８の結合棒１８２を挿入することによってカバー１０を閉めることができる。さらに，結合棒１８２の両端に形成される傾斜部１９０によって上記の通り操作部１８６が閉鎖動作を行うように案内されるため，使用者は開かれた状態のカバー１０を胴体４の上端部から下方向に押すだけで，ワンタッチレバー１８を胴体４に装着させ，カバー１０を閉めることができる。
【００３５】
図５ａ，５ｂは本考案の一実施形態に係る釣り用練り餌容器２のラック固定部材２４を示す図面で，図６は本考案の一実施形態に係る釣り用練り餌容器２の高さ調節状態を示す図面である。
【００３６】
これらの図面が示すように，本考案の一実施形態に係る釣り用練り餌容器２において，胴体４のラック受け筒２０に受容されるラック２２は，ラック受け筒２０から下部方向に挿抜自在に構成されていて，ラック受け筒２０から引き出す長さを調節可能である。この時，ラック２２はラック固定部材２４によって，ラック受け筒２０から任意の長さに引き出された状態で固定されることができる。ラック固定部材２４は，図５ａに示すように，ラック２２が内部に挿設される内挿パイプ２４２と，その内挿パイプ２４２の外周に螺合されてその内挿パイプ２４２をラック２２の所定位置に固定させる固定ギャップ２５０とから構成される。
【００３７】
図５ｂに示すように，内挿パイプ２４２は所定の長さの円筒状に形成されており，ラック２２を内部に挿通することができる。内挿パイプ２４２の外周には所定幅の雄ねじ２４６が形成されており，一端部には長手方向に延びる複数のスリット２４４が形成されている。
【００３８】
また，内挿パイプ２４２の外周に螺合される固定ギャップ２５０は，その内部に内挿パイプ２４２及びラック２２を挿通させることができるようにパイプ状になっている。固定ギャップ２５０の内周には内挿パイプ２４２の雄ねじ２４６に螺合する雌ねじ２５４が形成されており，一端部の内周部には，その一端部の先端に向かって直径が順次減少するように内傾斜部２５６が形成されている。
【００３９】
したがって，固定ギャップ２５０を回転させると，内周に形成された雌ねじ２５４と内挿パイプ２４２の雄ねじ２４６との螺合が解除されながら，固定ギャップ２５０の内傾斜部２５６が内挿パイプ２４２の外傾斜部２４８から離隔する。そうすると，内挿パイプ２４２の外傾斜部２４８は，固定ギャップ２５０の内傾斜部２５６が外傾斜部２４８を覆う位置にあって内傾斜部２５６の傾斜により圧迫されている場合に比べて緩んだ状態になる。この状態で，ラック２２をラック受け筒２０から取り出すと，ラック２２は自由にラック受け筒２０の下部に引き出すことができる。
【００４０】
ラック２２を適切な長さになるように引き出した後に，内挿パイプ２４２の雄ねじ２４６に固定ギャップ２５０の雌ねじ２５４を螺合すると，固定ギャップ２５０の内周端に形成された内傾斜部２５６が内挿パイプ２４２の先端に形成された外傾斜部２４８を付勢することによって，内挿パイプ２４２がラック２２に固定される。したがって，図６に示すように，ラック２２は上部側に備わった胴体４の重量が加わっても，それ以上ラック受け筒２０へ挿入されなくなり，ラック受け筒２０から引き出すことによって調節された高さをそのまま維持できる。
【００４１】
また，ラック２２の下端外周には係止片２２２が突設されているので，ラック２２の先端がラック固定部材２４の内部に完全に挿入されることが阻止される。ラック２２がラック固定部材２４の内部に完全に挿入されれば，ラック２２をラック固定部材２４から引き出さなければならないので煩わしい。しかし，本実施形態の場合，ラック２２の下端外周に係止片２２２が別途に備わっているので，ラック固定部材２４の先端挿入孔２５２の係止部２５２ａがその係止片２２２に係止することによって，それ以上ラック２２がラック固定部材２４に挿入することを阻止できる。
【００４２】
以上のように，本実施形態に係る釣り用練り餌容器２は，胴体４が固いＰＶＣ材質で構成されるため防水機能を備える。そのため，使用者は胴体４の内部に練り餌を貯蔵しておくことができるとともに，釣りが終わった後には水と共に魚を保管することができる。このように，本実施形態に係る釣り用練り餌容器２は多様な機能を発揮し得る。また，ワンタッチレバー１８によりカバー１０を片手でも容易に開閉できるので，使用者は釣竿を片手で把持した状態でも容易にカバー１０を開放でき，また，容易にカバー１０を閉じることができる。さらに，４つの角に各々配置されているラック２２の長さを自由に調節できるため，傾斜した地面を有する海岸等でも各々のラック２２を適切な長さに調節することによって胴体４の水平状態を維持できる。その結果，釣り用練り餌容器２の内部に貯蔵，保管されている練り餌や魚，水などがこぼれ出ることを防止できる。
【００４３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４４】
本考案は，釣り餌容器に適用可能である。
【図面の簡単な説明】
【００４５】
【図１】本考案の一実施形態に係る釣り用練り餌容器の外形を示す斜視図である。
【図２】本考案の一実施形態に係る釣り用練り餌容器のカバーを示す斜視図である。
【図３】本考案の一実施形態に係る釣り用練り餌容器のワンタッチレバーを示す平面図である。
【図４ａ】本考案の一実施形態に係る釣り用練り餌容器のワンタッチレバーの装着状態を示す側断面図である。
【図４ｂ】本考案の一実施形態に係る釣り用練り餌容器のワンタッチレバーの装着状態を示す側断面図である。
【図５ａ】本考案の一実施形態に係る釣り用練り餌容器のラック固定部材を示す図面である。
【図５ｂ】本考案の一実施形態に係る釣り用練り餌容器のラック固定部材を示す図面である。
【図６】本考案の一実施形態に係る釣り用練り餌容器の高さ調節状態を示す図面である。
【符号の説明】
【００４６】
２      釣り用練り餌容器
４      胴体
６      載置片
８      挿入孔
１０      カバー
１２      レバー支持片
１４      レバー結合輪
１６      取っ手
１８      ワンタッチレバー
２０      ラック受け筒
２２      ラック
２４      ラック固定部材
２６      すべり防止用位置固定ピン
３４      肩ひも
４０      撒き餌杓受け
６０      ヒンジ輪
６２      中間連結部
６４ａ，６４ｂ      嵌合球体
６６      大径突部
７０      収納体
４０２，４０４      嵌入孔
１８２      結合棒
１８６      操作部
１８８      中心支持部
１９０      傾斜部
２４２      内挿パイプ
２５０      固定ギャップ
２４４      スリット
２４６      雄ねじ
２５４      雌ねじ
２５６      内傾斜部
【図１】
0003108196.tif 000003
【図２】
0003108196.tif 000004
【図３】
0003108196.tif 000005
【図４ａ】
0003108196.tif 000006
【図４ｂ】
0003108196.tif 000007
【図５ａ】
0003108196.tif 000008
【図５ｂ】
0003108196.tif 000009
【図６】
0003108196.tif 000010